(57)【要約】【課題】  楽器を収納した楽器収納ケースの運送又は携帯時においても該楽器を安定して支持する。【解決手段】  上部開口を有する箱体２と、該上部開口を覆う蓋体３と、楽器Ｖの本体部４１側面形状に略合わせた形状の側壁を有する収納部が形成され、該箱体２内に収容される緩衝材７とを備えた楽器収納ケース１であって、緩衝材７の収納部側壁の一部である移動部１４の楽器当接面に対する裏面に当接する押板３０を、操作片２６の操作により楽器Ｖの本体部４１側面に接近する方向に移動させることにより、該移動部１４により楽器Ｖの本体部４１側面を押圧する。【選択図】        図１
2006220945.tif 000002
【特許請求の範囲】
【請求項１】
上部開口を有する箱体と、該上部開口を覆う蓋体と、楽器の本体部側面形状に略合わせた形状の側壁を有する収納部が形成され、該箱体内に収容される緩衝材とを備えた楽器収納ケースであって、
前記箱体内に収納された楽器の本体部側面に接近及び離反する方向に移動可能な、前記緩衝材の収納部側壁の一部である移動部を、該楽器の本体部側面に接近する方向に移動させる緩衝材移動装置を備えたことを特徴とする楽器収納ケース。
【請求項２】
前記箱体が、対向二長側面及び対向二短側面並びに底面からなる平面視略長方形状のものであり、前記楽器の長手方向が該箱体の長手方向となるように、該楽器を該箱体内に収納すると共に、
該対向二長側面の少なくとも一方側から該楽器の本体部側面に接近する方向に前記移動部を移動させる単又は複数の緩衝材移動装置を備え、
該緩衝材移動装置が、取付手段により前記箱体又は前記箱体内の底板に取り付けられた基体と、該基体により前記楽器の本体部側面に接近及び離反する方向に移動可能に支持された押圧片と、該押圧片の移動を操作する操作片と、該操作片の操作力を該押圧片に伝達する操作力伝達手段と、該押圧片と一体又は別体に設けられ、該楽器の本体部側面の長手方向に延びると共に前記移動部の楽器当接面に対する裏面に当接する押板とからなる請求項１記載の楽器収納ケース。
【請求項３】
前記押板が、前記楽器の本体部側面形状に略合わせた形状に形成されてなる請求項２記載の楽器収納ケース。
【請求項４】
前記取付手段と前記箱体又は前記箱体内の底板との取付位置を、前記楽器の本体部側面に接近又は離反する方向に調整可能としてなる請求項２記載の楽器収納ケース。
【発明の詳細な説明】
【技術分野】
【０００１】
本発明は、楽器収納ケースに係わり、更に詳しくは、ヴァイオリン、ビオラ、チェロ又はギター等の楽器の収納に適した楽器収納ケースに関するものである。
【背景技術】
【０００２】
従来の楽器収納ケースとして、例えばヴァイオリン、ビオラ、チェロ等の収納ケースにおいて、該収納ケース内に該楽器の形状に合わせた収納部（開口部）が形成された緩衝材を設けると共に該楽器のネック部分をストラップ、ベルト等により固定するもの（以下において、「タイプ１」という。）、前記楽器の塗装面と前記緩衝材との擦れ合いを防止できるようにするため、該楽器を周囲に余裕を持って収納可能な蓋付の梱包箱本体の底部上に複数の支持体を配設し、該支持体により該楽器を浮かせて支持するもの（以下において、「タイプ２」という。例えば、特許文献１参照。）等がある。
【０００３】
また、例えばギター等の収納ケースにおいて、形状、大きさ、長さ等が異なる弦楽器に対して共通に使用できるようにするため、内装部材の収納凹部の幅を楽器に対して余裕を持たせると共に、該楽器を支持する仕切部材を長手方向に位置調整可能としてなるもの（以下において、「タイプ３」という。例えば、特許文献２参照。）等がある。
【０００４】
【特許文献１】特開２００３−７６３６２号公報（図１−３）
【特許文献２】特開２００４−６１８０２号公報（図１）
【発明の開示】
【発明が解決しようとする課題】
【０００５】
タイプ１の構成では、楽器の収納又は取出し時に該楽器側面の塗装面を損傷しないようにするために、該楽器側面と前記緩衝材開口部の側壁との間に間隙を設ける必要がある。したがって、このような間隙の存在により、該楽器を収納した楽器収納ケースの運送又は携帯時等において、振動等により加速度がかかると、該楽器が該緩衝材開口部内でがたつき、該楽器及び緩衝材との相対移動により擦れが生じ、該楽器側面の塗装面を損傷する場合がある。また、このような楽器のがたつきにより、該楽器の調整に狂いが生じる場合がある。
【０００６】
また、タイプ２及び３の構成では、楽器を部分的に支持体（仕切部材）により支持するものであるため、該楽器を収納した楽器収納ケースの運送又は携帯時において該楽器を安定して支持することができず、振動等により加速度がかかると、該楽器が該支持体（仕切部材）上でがたつき、該楽器及び支持体（仕切部材）との相対移動により擦れが生じ、該楽器の被支持部の塗装面を損傷する場合がある。また、このような楽器のがたつきにより、該楽器の調整に狂いが生じる場合がある。
【０００７】
さらに、タイプ１ないし３の構成では、前記問題点の存在により、該楽器収納ケースの運送を、大きな衝撃及び振動等が繰り返しかかる一般運送業へ委託することができないものである。
【０００８】
本発明は、前記のような問題点を解決するためになされたものであり、楽器の収納又は取出し時における該楽器の塗装面の損傷を抑制することができると共に、該楽器を収納した楽器収納ケースの運送又は携帯時においても該楽器を安定して支持することができるため、該楽器のがたつきを抑制して該楽器の塗装面の損傷及び調整の狂いを抑制することができる楽器収納ケースを得ることを目的とする。
【課題を解決するための手段】
【０００９】
本発明に係る楽器収納ケースは、上部開口を有する箱体と、該上部開口を覆う蓋体と、楽器の本体部側面形状に略合わせた形状の側壁を有する収納部が形成され、該箱体内に収容される緩衝材とを備えた楽器収納ケースであって、前記箱体内に収納された楽器の本体部側面に接近及び離反する方向に移動可能な、前記緩衝材の収納部側壁の一部である移動部を、該楽器の本体部側面に接近する方向に移動させる緩衝材移動装置を備えたものである。
【００１０】
ここで、前記箱体が、対向二長側面及び対向二短側面並びに底面からなる平面視略長方形状のものであり、前記楽器の長手方向が該箱体の長手方向となるように、該楽器を該箱体内に収納すると共に、該対向二長側面の少なくとも一方側から該楽器の本体部側面に接近する方向に前記移動部を移動させる単又は複数の緩衝材移動装置を備え、該緩衝材移動装置が、取付手段により前記箱体又は前記箱体内の底板に取り付けられた基体と、該基体により前記楽器の本体部側面に接近及び離反する方向に移動可能に支持された押圧片と、該押圧片の移動を操作する操作片と、該操作片の操作力を該押圧片に伝達する操作力伝達手段と、該押圧片と一体又は別体に設けられ、該楽器の本体部側面の長手方向に延びると共に前記移動部の楽器当接面に対する裏面に当接する押板とからなると好ましい。
【００１１】
また、前記押板が、前記楽器の本体部側面形状に略合わせた形状に形成されてなると好ましい。
【００１２】
さらに、前記取付手段と前記箱体又は前記箱体内の底板との取付位置を、前記楽器の本体部側面に接近又は離反する方向に調整可能としてなると好ましい。
【発明の効果】
【００１３】
本発明に係る楽器収納ケースによれば、上部開口を有する箱体と、該上部開口を覆う蓋体と、楽器の本体部側面形状に略合わせた形状の側壁を有する収納部が形成され、該箱体内に収容される緩衝材とを備えた楽器収納ケースであって、前記箱体内に収納された楽器の本体部側面に接近及び離反する方向に移動可能な、前記緩衝材の収納部側壁の一部である移動部を、該楽器の本体部側面に接近する方向に移動させる緩衝材移動装置を備えたので、簡素な構成により、該楽器の収納又は取出し時における楽器塗装面の損傷を抑制することができると共に、該楽器を収納した楽器収納ケースの運送又は携帯時においても該楽器を安定して支持することができるため、該楽器のがたつきを抑制して該楽器の塗装面の損傷及び調整の狂いを抑制することができる。よって、該楽器収納ケースの運送を、大きな衝撃及び振動等が繰り返しかかる一般運送業へ委託することもできる。
【００１４】
また、前記箱体が、対向二長側面及び対向二短側面並びに底面からなる平面視略長方形状のものであり、前記楽器の長手方向が該箱体の長手方向となるように、該楽器を該箱体内に収納すると共に、該対向二長側面の少なくとも一方側から該楽器の本体部側面に接近する方向に前記移動部を移動させる単又は複数の緩衝材移動装置を備え、該緩衝材移動装置が、取付手段により前記箱体又は前記箱体内の底板に取り付けられた基体と、該基体により前記楽器の本体部側面に接近及び離反する方向に移動可能に支持された押圧片と、該押圧片の移動を操作する操作片と、該操作片の操作力を該押圧片に伝達する操作力伝達手段と、該押圧片と一体又は別体に設けられ、該楽器の本体部側面の長手方向に延びると共に前記移動部の楽器当接面に対する裏面に当接する押板とからなると、該楽器本体部側面の略全体が包み込まれるように押圧されて、該押圧力が該楽器本体部側面に分散して掛かるため、該楽器を、ソフトに、かつ、安定して支持することができる。
【００１５】
さらに、前記押板が、前記楽器の本体部側面形状に略合わせた形状に形成されてなると、該楽器をさらに安定して支持することができる。
【００１６】
さらにまた、前記取付手段と前記箱体又は前記箱体内の底板との取付位置を、前記楽器の本体部側面に接近又は離反する方向に調整可能としてなると、該楽器の形状又は大きさが異なるものに対して楽器収納ケースを共用する場合に対しても容易に対応することができる。
【発明を実施するための最良の形態】
【００１７】
次に本発明の実施の形態を添付図面に基づき詳細に説明するが、本発明は、添付図面に示された形態に限定されず特許請求の範囲に記載の要件を満たす実施形態の全てを含むものである。なお、本明細書においては、収納ケースを構成する、対向する二長側面及び二短側面並びに底面からなる箱体の上部開口から、楽器の長手方向が該二長側面に略平行な略水平方向となるように、該楽器を該箱体内に収納した状態で、対向する二長側面側から該楽器に接近する方向を前とし、前方に向かって左右を左右とする。また、前記のとおり箱体の上部開口からに楽器を収納して蓋体を閉じた状態における上下方向を上下とする。
【００１８】
図１〜図３は、本発明の実施の形態に係る楽器収納ケースを示す説明図であり、図１は該楽器収納ケースの斜視図、図２は箱体及び該箱体に収容される緩衝材の構成を示す斜視図であり、図３は緩衝材移動装置等の要部拡大斜視図である。また、図４及び図５は緩衝材移動装置の動作説明図であり、図４は斜視図、図５は横断底面図（下から見た図）である。
【００１９】
図１に示すように、楽器収納ケース１は、上部開口Ａ（図２参照。）を有する箱体２、図示しないヒンジまわりに箱体２に対して開閉可能とされ、箱体２の上部開口Ａを覆う蓋体３、箱体２及び蓋体３内に収容される緩衝材４，５、及び、緩衝材４の収納部側壁の一部である移動部１４を、箱体２内に収納された楽器の例として示すヴァイオリンＶの本体部４１側面に接近する方向に移動させる緩衝材移動装置６等からなるものである。
【００２０】
図２に示すように、箱体２は、対向二長側面２１ａ，２１ｂ及び対向二短側面２２ａ，２２ｂ並びに底面２３からなる平面視略長方形状のものであり、該箱体２は、ポリアセタール、ポリプロピレン、ポリエチレンテレフタレート若しくはＡＢＳ等の合成樹脂若しくはＦＲＰ等の繊維強化複合材料のシート成形若しくは射出成形、アルミニウム合金若しくはマグネシウム合金等の軽合金のプレス成形若しくはダイカスト、又は、合板等の木材の組付等により製作される。なお、箱体２を合板等の木材により製作する場合には、布、ビニール又はレザー等により外面の主要部が覆われる。
【００２１】
また、蓋体３も箱体２と同様の構成からなるものである。なお、図１及び図２等における箱体２及び蓋体３は、平面状の、対向二長側面、対向二短側面及び底面により形成されるが、該対向二長側面、対向二短側面及び底面は曲面であってもよい。
【００２２】
図１及び図２に示すように、箱体２及び蓋体３内に収容される緩衝材４及び５は、その外形が該箱体２及び蓋体３の内面形状に合うように、例えばポリエチレン又はポリウレタン等からなる合成樹脂フォームにより成形される。また、箱体２内に収容される緩衝材４には、該箱体２内にヴァイオリンＶが収納可能なように、該ヴァイオリンＶの本体部４１側面形状に略合わせた形状の側壁を有する収納部９が設けられている。
【００２３】
緩衝材４は、本体部緩衝材７及び頭部緩衝材８からなり、本体部緩衝材７は上層７ａ及び下層７ｂの二層構成となっている。そして、本体部緩衝材７の上層７ａはヴァイオリンＶの本体部４１を収納可能なように該本体部４１の側面形状（側板４４の側面形状）に略合わせた形状の側壁を有する収納部９が形成されている。該収納部９の側壁部分は、楽器に当接する部分であるため、楽器を包み込むような柔軟性を有すると共に、変形後の復元性が高い材料を用いるのが好ましい。なお、本体部緩衝材７の下層７ｂは、単なる発泡スチレン等の板材としてもよい。
【００２４】
また、本体部緩衝材７の下層７ｂの上面には、収納部９の外周部にテーパを形成した凹部が設けられているため（図２参照。）、ヴァイオリンＶの本体部４１の下面を安定して保持することができる。また、ヴァイオリンＶの収納又は取出し時に、ヴァイオリンＶの本体部４１側面（側板４４及びパーフリング等）の塗装面を損傷しないようにするために、ヴァイオリンＶの本体部４１側面と本体部緩衝材７の収納部９の側壁との間には間隙が設けられている。
【００２５】
頭部緩衝材８には、ヴァイオリンＶの渦巻き、糸巻き等の頭部４２と干渉しないように収納部１０が形成される。なお、該頭部緩衝材８は、単なる発泡スチレン等のブロックを切削加工して形成してもよい。また、該収納部９，１０間には、切欠き１１，１２が形成されており、該切欠き１１，１２内にヴァイオリンＶのネック部４３が収納される。したがって、該切欠き１１，１２もヴァイオリンＶの収納部となっている。なお、頭部緩衝材８に形成された切欠き１３は、図示しない湿度計等を収納するためのものである。
【００２６】
本体部緩衝材７の上層７ａには、緩衝材移動装置６の後述する押板３０を挿入するための押板挿入スペース１５が形成されると共に、該押板挿入スペース１５の前側には、ヴァイオリンＶの本体部４１側面形状に略合わせた形状に成形され、該ヴァイオリンＶの本体部４１側面に押圧される、本体部緩衝材７の収納部９側壁の一部である移動部１４が設けられている。また、本体部緩衝材７の上層７ａ及び下層７ｂの箱体２の長側面２１ａ側には、緩衝材移動装置６の後述する取付手段２８を上下方向に通すための切欠き１６及び１７が形成されている。
【００２７】
箱体２内には、例えば木製の小物入れ１８が収容されているため、小物の収納も容易となっている。なお、該小物入れ１８には図示しない蓋が取り付けられる。また、蓋体３内に収容される緩衝材５には、ヴァイオリンＶの弓を保持する弓ホルダー１９，２０・・・が取り付けられている。箱体２及び蓋体３内に収容される緩衝材４及び５等の内部材は、いずれも、少なくとも外部から見える部分は、例えばベルベット等の織物地により覆われるため、収納される楽器に傷が付きにくくなっている。
【００２８】
蓋体３内に収容される緩衝材５は、該緩衝材５の上面が蓋体３の下面に接着され、該蓋体３に固定される。また、箱体２内に収容される緩衝材４は、本体部緩衝材７の下層７ｂ及び頭部緩衝材８の下面が箱体２の底面２３の上面又は箱体２の底面２３上に載置され固定された図示しない底板の上面に接着され、該箱体２又は底板に固定される。そして、緩衝材４の本体部緩衝材７の上層７ａの下面の前記移動部１４以外の部分は、下層７ｂの上面に接着され固定される。したがって、該移動部１４は、箱体２内に収納されたヴァイオリンＶの本体部４１側面に接近及び離反する方向に移動可能となっている。
【００２９】
次に、緩衝材移動装置６の構成及び動作について説明する。緩衝材移動装置６は、図１及び図３に示すように、箱体２の対向二長側面２１ａ，２１ｂの一方の長側面２１ａ側に配置されている。図４及び図５において、緩衝材移動装置６は、その基体２４が取付手段２８に固定され、該取付手段２８が箱体２の底面２３（図２参照。）の上面又は箱体２の底面２３上に載置され固定された底板の上面に固定される。ここで、図４における符号２９・・・は、通孔又はねじ孔である。すなわち、取付手段２８は、通孔２９・・・の上方から取付ねじを通して、該取付ねじを該底面２３又は底板に形成したねじ孔に螺合させるか、あるいは、該底面２３又は底板に形成した通孔に下方から取付ねじを通して、該取付ねじをねじ孔２９・・・に螺合することにより、前記底面２３又は底板に固定される。
【００３０】
図５に示すように、基体２４には孔２４ａが形成されており、該孔２４ａの内面により操作片２６の外面が支持され、該操作面２６は該孔２４ａの中心まわりに回動可能となっている。また、基体２４には前後方向のガイド板３１，３１が形成されていると共に、押圧片２５には、その上面に水平板３２が一体又は別体に設けられて基体２４内に収容されており、該水平板３２の上面には前後方向に複数の突片３３・・・が形成されている。
【００３１】
水平板３２に形成された突片３３・・・の左右方向の移動は、基体２４のガイド板３１，３１の左右方向内面により規制され、水平板３２の上下方向の移動は基体２４の内部空間の上面及び下面により規制される。また、水平板３２の左右方向の幅は、基体２４の下面に形成された図示しない孔の左右方向の幅よりも大きいため、押圧片２５は基体２４により支持され、基体２４から垂下している。したがって、水平板３２と一体に移動する押圧片２５は、前後方向（ヴァイオリンＶの本体部４１側面に接近及び離反する方向）に移動可能に支持されている。
【００３２】
操作片２６には、その下面に前記孔２４ａの中心からの距離が段階的に変化するように、スパイラル状突片３４が形成されており、該スパイラル状突片３４が、前記水平板３２に形成された突片３３，３３の間に係合している。そして、該スパイラル状突片３４及び突片３３・・・が、操作片２６の操作力を押圧片２５に伝達する操作力伝達手段２７を構成している。
【００３３】
すなわち、図４及び図５において、操作片２６を図中矢印Ｂ方向に回転すると、前記操作力伝達手段２７により、水平板３２と一体に移動する押圧片２５は図中矢印Ｃ方向（図３におけるヴァイオリンＶの本体部４１側面に接近する方向）に移動する。また、逆に、操作片２６を図中矢印Ｂと反対方向に回転すると、前記操作力伝達手段２７により、押圧片２５は図中矢印Ｃと反対方向（図３におけるヴァイオリンＶの本体部４１側面から離反する方向）に移動する。
【００３４】
なお、操作力伝達手段２７の構成はこのような構成に限定されるものではない。例えば、操作片２６に固定した垂直軸まわりに回動可能な偏心カムの外周に前後方向にスライド可能に支持されたカムフォロワを当接させ、該カムフォロワに固定した押圧片２５を前後方向に進退させる確動カムの構成、操作片２６に固定した垂直軸まわりに回動可能な偏心板の外周に当接する枠体を前後方向にスライド可能に支持し、該枠体に固定した押圧片２５を前後方向に進退させる構成、又は、操作片２６に固定した垂直軸まわりに回動可能なピニオンに前後方向にスライド可能に支持されたラックを係合させ、該ラックに固定した押圧片２５を前後方向に進退させると共に、該ピニオンに逆転防止用の爪を設けてなる構成等を適宜採用することができる。
【００３５】
このように操作片２６を操作することにより前後方向（図３におけるヴァイオリンＶの本体部４１側面に接近又は離反する方向）に進退する押圧片２５には、その前面に押板３０が取り付けられている。該押板３０は、ヴァイオリンＶ本体部４１側面の長手方向（図３参照。）に延びると共に、ヴァイオリンＶ本体部４１の側面形状に略合わせた形状に形成されている。そして、該押板３０は、図３に示すように、本体部緩衝材７の押板挿入スペース１５内に挿入されて、緩衝材４の収納部９側壁の一部である移動部１４の後面１４ｂ（該移動部１４の楽器当接面１４ａ（表面）に対する裏面。図２参照。）に当接する。なお、前記押圧片２５も押板３０と共に本体部緩衝材７の押板挿入スペース１５内に上方から挿入されている。
【００３６】
したがって、ヴァイオリンＶを箱体２の前記収納部９，１０等に収納した状態で、操作片２６を前記矢印Ｂ方向（図４及び図５参照。）に回転させれば、押圧片２５及び押板３０が前記矢印Ｃ方向（図４及び図５参照。）に移動し、該押板３０により移動部１４の後面１４ｂが押されるため、ヴァイオリンＶの本体部４１側面は該移動部１４により押圧される。なお、該押板３０の前面と該移動部１４の後面１４ｂとの接触面は接着されている。
【００３７】
このようにして、ヴァイオリンＶ本体部４１側面の長手方向に延びると共に、ヴァイオリンＶ本体部４１側面形状に略合わせた形状に形成された押板３０の移動により、ヴァイオリンＶ本体部４１側面形状に略合わせた形状に成形された移動部１４が、ヴァイオリンＶの本体部４１側面（側板４４及びコーナー４５，４５等）に押圧されるため、合成樹脂フォーム製の移動部１４の前面（楽器当接面）１４ａにより該ヴァイオリンＶの本体部４１側面の略全体が包み込まれるように押圧されて、該押圧力が該ヴァイオリンＶの本体部４１側面に分散して掛かるため、該ヴァイオリンＶに局所的に大きな応力がかかることはなく、該ヴァイオリンＶは、ソフトに、かつ、安定して支持される。
【００３８】
したがって、楽器を楽器収納ケース１の箱体２内に収納した状態で、前記操作片２６を回転させて前記移動部１４により該楽器を押圧して支持すれば、該楽器を収納した楽器収納ケース１の運送又は携帯時等において、振動等により加速度がかかっても、該楽器が該楽器収納ケース１内でがたつかないため、該楽器側面の塗装面の損傷及び調整の狂いを抑制することができる。よって、該楽器収納ケース１の運送を、大きな衝撃及び振動等が繰り返しかかる一般運送業へ委託することもできるのである。
【００３９】
なお、ヴァイオリンＶのコーナー４５，４５はブロックにより補強されているため、該コーナー４５，４５は強度及び剛性が大きい箇所である。したがって、該コーナー４５，４５を押圧してヴァイオリンＶの支持を行うことは、ヴァイオリンＶの強度及び剛性が比較的小さい箇所を押圧して不用意にヴァイオリンＶの調整に狂いを生じさせないようにするためにも効果的な支持方法である。また、押圧片２５のヴァイオリンＶの本体部４１側面に接近する方向への移動は、基体２４の下面に形成された図示しない孔の前部に押圧片２５の上部が当接することにより所定位置までで規制されるため、押板３０及び移動部１４の該方向への移動も所定位置までで規制される。したがって、ヴァイオリンＶに掛かる押圧力も所定の上限値で規制される。
【００４０】
以上の説明においては、ヴァイオリンＶを楽器の例として、ヴァイオリンＶを収納する楽器収納ケース１を示したが、ヴァイオリンのように形状が決まっている楽器以外に対しても、また、弦楽器以外の楽器に対しても、本発明の楽器収納ケースを適用することは容易である。例えば、外形が大きな楽器に対しては緩衝材移動装置６を複数配設し、該複数の楽器移動装置により、緩衝材の収納部側壁の一部である移動部を、楽器に略均等に押圧力が掛かるように、楽器の本体部側面に接近する方向に移動させればよい。また、楽器の形状又は大きさが異なるものに対して楽器収納ケース１を共用する場合には、楽器収納ケース１の箱体２及び蓋体３を大きな楽器に合わせて製作しておき、楽器の形状に合わせて収納部を形成した緩衝材４を箱体２内に収容すればよい。
【００４１】
そして、このように楽器の形状又は大きさが異なるものに対して楽器収納ケースを共用する場合には、緩衝材移動装置６の取付位置を調整可能とするのが好ましい。例えば図４において、緩衝材移動装置６の基体２４が固定される取付手段２８の、箱体２の底面２３（図２参照。）の上面又は箱体２の底面２３上に載置され固定された底板の上面への固定位置を、前記通孔又はねじ孔２９・・・を用いて、楽器の本体部４１側面に接近又は離反する方向に変更することにより該取付位置を容易に調整可能とすることができる。
【００４２】
以上の説明においては、楽器収納ケース１として、図１のような形態の箱体２及び蓋体３を組み合わせる場合を示したが、箱体２及び蓋体３は、運搬等に用いられるダンボール等の梱包箱も含むものである。箱体２及び蓋体３が該梱包箱である場合には、該梱包箱の収納部が箱体２であり、該収納部と一体に設けられ、折り曲げて用いられる蓋が蓋体３である。そして、緩衝材移動装置６は、該梱包箱内に収容された底板に固定すればよい。
【図面の簡単な説明】
【００４３】
【図１】本発明の実施の形態に係る楽器収納ケースを示す斜視図である。
【図２】箱体及び該箱体に収容される緩衝材の構成を示す斜視図である。
【図３】緩衝材移動装置等の要部拡大斜視図である。
【図４】緩衝材移動装置の構成及び動作説明用斜視図である。
【図５】同じく横断底面図である。
【符号の説明】
【００４４】
１  楽器収納ケース
２  箱体
３  蓋体
４，５  緩衝材
６  緩衝材移動装置
７  本体部緩衝材
９  収納部
１４  移動部
１４ａ  楽器当接面
１４ｂ  裏面
１５  押板挿入スペース
２１ａ，２１ｂ  長側面
２２ａ，２２ｂ  短側面
２３  底面
２４  基体
２５  押圧片
２６  操作片
２７  操作力伝達手段
２８  取付手段
２９  通孔（ねじ孔）
３０  押板
４１  本体部
４４  側板
４５  コーナー
Ａ  上部開口
Ｖ  ヴァイオリン（楽器）
【図１】
2006220945.tif 000003
【図２】
2006220945.tif 000004
【図３】
2006220945.tif 000005
【図４】
2006220945.tif 000006
【図５】
2006220945.tif 000007